(57)【要約】【課題】固定型操作器をやめ、照明制御受信装置に対して無線回線で無線制御情報を送信する移動型操作器を採用したトンネル照明システムを提供する。【解決手段】トンネル内の進行方向に沿って所定区間毎に配置した照明制御受信装置１と、照明制御受信装置１に接続され照明制御受信装置１からの制御により割り当てられた区間を点灯する照明機器４，５と、照明制御受信装置１に対して無線回線で無線制御情報を送信する移動型操作器６により構成し、移動型操作器６は照明制御受信装置１に対して割り当てられた周波数で無線部より無線制御情報を周期的に送信し、照明制御受信装置１は無線部を持ち、受信した無線制御情報により照明機器４，５を制御することを特徴とする。【選択図】図２
2008084724.tif 000002
【特許請求の範囲】
【請求項１】
トンネル内の進行方向に沿って所定区間毎に配置した照明制御受信装置と、前記照明制御受信装置に接続され前記照明制御受信装置からの制御により割り当てられた区間を点灯する照明機器と、前記照明制御受信装置に対して無線回線で無線制御情報を送信する移動型操作器により構成し、
前記移動型操作器は前記照明制御受信装置に対して割り当てられた周波数で前記無線部より前記無線制御情報を周期的に送信し、前記照明制御受信装置は無線部を持ち、受信した前記無線制御情報により前記照明機器を制御することを特徴とするトンネル照明システム。
【請求項２】
トンネル内の進行方向に沿って所定区間毎に配置した照明制御受信装置と、前記照明制御受信装置に接続され前記照明制御受信装置からの制御により割り当てられた区間を点灯する照明機器と、前記照明制御受信装置に対して無線回線で無線制御情報を送信する移動型操作器により構成し、
前記移動型操作器は前記照明制御受信装置に対して割り当てられた周波数で前記無線部より前記無線制御情報を周期的に送信し、前記照明制御受信装置は受信した前記無線制御情報の受信電界強度判定機能を有する無線部を持ち、受信電界強度があらかじめ設定したしきい値を越えているか否かにより前記照明機器を制御することを特徴とするトンネル照明システム。
【請求項３】
請求項１または２記載のトンネル照明システムにおいて、前記移動型操作器および前記照明制御受信装置の前記無線部を電源オフ、前記無線部を制御するＣＰＵをスリープモードとし、前記移動型操作器でのキー操作に応答して、前記移動型操作器の前記ＣＰＵをスリープモード解除し且つ前記無線部を電源オンし、連動して、前記照明制御受信装置の前記ＣＰＵをスリープモード解除し且つ前記無線部を電源オンすることを特徴とするトンネル照明システム。
【発明の詳細な説明】
【技術分野】
【０００１】
本発明は、鉄道や車両等の通行用トンネル内のトンネル照明システムに関するものである。
【背景技術】
【０００２】
従来のトンネル照明システムは、トンネル内の進行方向に沿って所定区間毎に配置した照明制御受信装置と、照明制御受信装置に接続され照明制御受信装置からの制御により割り当てられた区間を点灯する照明機器と、照明制御受信装置に対して有線で照明機器に点灯や消灯の制御情報を送信する固定型操作器により構成し、固定型操作器を操作することで照明の制御を行っていた（文献公知発明に係るものではない）。
【発明の開示】
【発明が解決しようとする課題】
【０００３】
しかしながら、固定型操作器はトンネル内各照明機器の近くに固定設置されているため、照明機器を制御するには、直接固定型操作器の設置場所までいかなければならなかった。また固定型操作器はトンネル内に固定設置されているため、トンネル内を通過する車両の風圧や気象現象などにより破損や凍結して制御不能になる恐れがあった。また破損した場合はその破損部分がトンネル内を移動する車両に追突し、事故になる恐れもある。
【０００４】
本発明の目的は、固定型操作器をやめ、照明制御受信装置に対して無線回線で無線制御情報を送信する移動型操作器を採用したトンネル照明システムを提供することにある。
【課題を解決するための手段】
【０００５】
第１の本発明は、トンネル内の進行方向に沿って所定区間毎に配置した照明制御受信装置と、前記照明制御受信装置に接続され前記照明制御受信装置からの制御により割り当てられた区間を点灯する照明機器と、前記照明制御受信装置に対して無線回線で無線制御情報を送信する移動型操作器により構成し、前記移動型操作器は前記照明制御受信装置に対して割り当てられた周波数で前記無線部より前記無線制御情報を周期的に送信し、前記照明制御受信装置は無線部を持ち、受信した前記無線制御情報により前記照明機器を制御することを特徴とする。
【０００６】
第２の本発明は、トンネル内の進行方向に沿って所定区間毎に配置した照明制御受信装置と、前記照明制御受信装置に接続され前記照明制御受信装置からの制御により割り当てられた区間を点灯する照明機器と、前記照明制御受信装置に対して無線回線で無線制御情報を送信する移動型操作器により構成し、前記移動型操作器は前記照明制御受信装置に対して割り当てられた周波数で前記無線部より前記無線制御情報を周期的に送信し、前記照明制御受信装置は受信した前記無線制御情報の受信電界強度判定機能を有する無線部を持ち、受信電界強度があらかじめ設定したしきい値を越えているか否かにより前記照明機器を制御することを特徴とする。
【０００７】
第３の本発明は、上記第１または第２の本発明において、前記移動型操作器および前記照明制御受信装置の前記無線部を電源オフ、前記無線部を制御するＣＰＵをスリープモードとし、前記移動型操作器でのキー操作に応答して、前記移動型操作器の前記ＣＰＵをスリープモード解除し且つ前記無線部を電源オンし、連動して、前記照明制御受信装置の前記ＣＰＵをスリープモード解除し且つ前記無線部を電源オンすることを特徴とする。
【発明の効果】
【０００８】
本発明によれば、照明機器を点灯や消灯制御をしたいときのみ、制御対象の照明制御受信装置の近くに、移動型操作器を持っていけばよく、また従来の固定型操作器であったような、破損や凍結して制御不能となったり、破損部分による事故になる恐れもない。
【発明を実施するための最良の形態】
【０００９】
本発明による第１実施形態を、図１、図２、図３により説明する。
【００１０】
図１は、本発明によるトンネル照明システムの第１実施形態の概念図である。例として、作業車に乗った作業員がトンネル内を保守作業する場合について説明する。
【００１１】
１，１，…，１は照明制御受信装置１，２，…，Ｎであり、トンネル内の進行方向に沿って一定区間ごとに配置される。２は上り方向に移動する上り作業車、３は下り方向に移動する下り作業車である。
【００１２】
各照明制御受信装置１，２，…，Ｎ（１，１，…，１）には、各々、上り作業車２が上り方向に移動する際にその進行方向を点灯する上り照明機器４と、下り作業車３が下り方向に移動する際にその進行方向を点灯する下り照明機器５が、接続されている。
【００１３】
図２は、図１における照明制御受信装置１の内部構成と、上り作業車２および下り作業車３に乗る作業者が持つリモコン操作器の構成図である。
【００１４】
６はリモコン操作器、７は上り照明機器４と下り照明機器５のいずれかを点灯・消灯制御するか切替えるチャネルスイッチ、８は、内部の無線部より無線回線で無線制御情報を送信する起動を行うプレススイッチである。
【００１５】
上り作業車２に乗る作業者は、自身が持つリモコン操作器６のチャネルスイッチ７を上りに設定し、プレススイッチ８を押すと、リモコン操作器６は、次に説明するＭＳＫ信号の照明器上り／下り選択データを“上り”に設定し、規定された周波数ｆ１で送信する。
【００１６】
また、下り作業車３に乗る作業者は、自身が持つリモコン操作器６のチャネルスイッチ７を下りに設定し、プレススイッチ８を押すと、リモコン操作器６は、次に説明するＭＳＫ信号の照明器上り／下り選択データを“下り”に設定し、規定された周波数ｆ２で送信する。
【００１７】
リモコン操作器６から、照明制御受信装置１に対して、内部の無線部より無線回線で無線制御情報のＭＳＫ信号を送信する。ＭＳＫ信号は、下記表１のＭＳＫデータをハーゲルバーガ符号化した信号である。
【００１８】
【表１】
2008084724.tif 000003
次に、照明制御受信装置１の内部構成を、図２により説明する。９はリモコン受信器であり、内部にＭＳＫ検出部９ａを有する無線部を持ち、リモコン操作器６からのＭＳＫ信号を受信してＭＳＫデータを解析する。１０は上り照明制御ＩＦ（インターフェース）であり、１台の照明制御受信装置１に割り当てられた区間の上り照明機器４に接続されている。１１は下り照明制御ＩＦ（インターフェース）であり、１台の照明制御受信装置１に割り当てられた区間の下り照明機器５に接続されている。
【００１９】
次に、トンネル照明システムの動作を、図３により説明する。図３は、図１の上り作業車２に乗って移動する作業者が、自身が持つ図２のリモコン操作器６で、上り照明機器４を点灯・消灯制御する場合を示す。下り照明機器５を点灯・消灯制御する場合も同様である。最初に、上り照明機器４は全て消灯状態と仮定して説明する。
【００２０】
図１の上り作業車２に乗って移動する作業員が、図２のリモコン操作器６のチャネルスイッチ７を上りに設定し、プレススイッチ８を押す（３０１）。すると、表１に示すＭＳＫデータの照明器上り／下り選択データを“上り”に設定したＭＳＫ信号（照明上り切替要求コマンド）（図３）が、リモコン操作器６から２連送される（３０２）。
【００２１】
リモコン受信器９は、図２のＭＳＫ検出部９ａで、ＭＳＫ信号（照明上り切替要求コマンド）を受信してＭＳＫデータを解析し、ユーザＩＤ、コマンドビット、照明器上り／下り選択データ、車番が、予め記憶しているデータと一致して正しい（データ一致）（３０３）ならば、上り照明機器４を点灯する（３０４）。２回受信するが、ＭＳＫデータの何れかが正しければ、上り照明機器４を点灯する。
【００２２】
一方、２回受信しても、ＭＳＫデータの何れも誤り（データ不一致）（３０５）ならば、上り照明機器４の点灯制御は行わない（３０６）。
【００２３】
リモコン操作器６のチャネルスイッチ７を上りに設定した状態で、再度プレススイッチ８を押す（３０７）。すると、表１に示すＭＳＫデータの照明器上り／下り選択データを“上り”に設定したＭＳＫ信号（照明上り切替要求コマンド）が２連送される（３０８）。
【００２４】
リモコン受信器９は、ＭＳＫ検出部９ａで、ＭＳＫ信号（照明上り切替要求コマンド）を受信してＭＳＫデータを解析し、ユーザＩＤ、コマンドビット、照明器上り／下り選択データ、車番が、予め記憶しているデータと一致して正しい（データ一致）（３０９）ならば、上り照明機器４を消灯する（３１０）。２回受信しても、ＭＳＫデータの何れかが正しければ、上り照明機器４を消灯する。
【００２５】
図１の上り作業者２に乗った作業員は、トンネル内を一定区間進行する毎に上記操作を繰返し、進行方向の上り照明機器４を点灯する。また後方の上り照明機器４を消灯する。なお各上り照明機器４の点灯時間はタイマ制御されており、作業員の照明消し忘れに対応している。
【００２６】
第１実施形態では、制御対象の照明制御受信装置の近くで、作業員自身が持つリモコン操作器から、制御対象の照明制御受信装置に向かって、無線回線で無線制御情報を送信するので、作業者は照明機器を点灯や消灯制御したいときのみ、リモコン操作器を取出して操作すればよく、また従来の固定型操作器であったような、破損や凍結して制御不能となったり、破損部分による事故になる恐れもない。
【００２７】
次に、本発明による第２実施形態を、図４、図５、図６により説明する。
【００２８】
図４は、本発明によるトンネル照明システムの第２実施形態の概念図である。図４は上り方向に移動する上り作業車について記載したものであるが、下り方向に移動する上り作業車についても同様である。
【００２９】
１，１，…，１は照明制御受信装置１，２，…，Ｎであり、トンネル内進行方向に沿って一定区間ごとに配置される。２は上り方向に移動する上り作業車である。
【００３０】
各照明制御受信装置１，２，…，Ｎ（１，１，…，１）には、各々、上り作業車２が上り方向に移動する際にその進行方向を点灯する上り照明機器４と、下り作業車が下り方向に移動する際にその進行方向を点灯する下り照明機器５が、接続されている。１２は上り作業車２に搭載したリモコン操作器からの送信電波の到達範囲を示す。
【００３１】
図５は、図４における照明制御受信装置１の内部構成と、上り作業車２に乗る作業者が持つリモコン操作器の構成図である。
【００３２】
６はリモコン操作器、７は上り照明機器４と下り照明機器５のいずれかを制御するか切替えるチャネルスイッチ、８は、内部の無線部より無線回線で無線制御情報を送信する起動を行うプレススイッチである。
【００３３】
上り作業車２に乗る作業者は、自身が持つリモコン操作器６のチャネルスイッチ７を上りに設定し、プレススイッチ８を押すと、リモコン操作器６は、ＭＳＫ信号の照明器上り／下り選択データを“上り”に設定し、規定された周波数ｆ１で周期的に送信を開始する。
【００３４】
次に、照明制御受信装置１の内部構成を、図５により説明する。９はリモコン受信器であり、内部にＭＳＫ検出部９ａと受信電界強度検出部９ｂとを有する無線部を持ち、受信電界強度検出部９ｂで、リモコン操作器６からのＭＳＫ信号の受信電界強度があらかじめ設定したしきい値を超えたかを判別する。次に、ＭＳＫ検出部９ａでＭＳＫデータを解析する。１０は上り照明制御ＩＦ（インターフェース）であり、１台の照明制御受信装置１に割り当てられた区間の上り照明機器４に接続されている。１１は下り照明制御ＩＦ（インターフェース）であり、１台の照明制御受信装置１に割り当てられた区間の下り照明機器５に接続されている。
【００３５】
一台の照明制御受信装置１に着目すると、リモコン操作器６のプレススイッチ８を押すことにより、規定された周波数ｆ１で周期的に送信するリモコン操作器６を持つ作業車が乗る上り作業車２が近づくと、受信電界強度が次第に増加し、受信電界強度検出部９ｂがあらかじめ設定したしきい値を超えたと判別したとき、ＭＳＫ検出部９ａが上り照明制御ＩＦ（インターフェース）１０に対して制御を行ない、上り照明機器４を点灯する。
【００３６】
次に、図６では一例として受信電界強度を５段階で判別し、受信電界強度が３以上で上り照明機器４を点灯する場合について記載する。
【００３７】
図４の上り作業車２に乗って移動する作業員が、図５のリモコン操作器６のチャネルスイッチ７を上りに設定し、プレススイッチ８を押す（６０１）。すると、表１に示すＭＳＫデータの照明器上り／下り選択データを“上り”に設定したＭＳＫ信号（照明上り切替要求コマンド）（図３）が周波数ｆ１で、リモコン操作器６から周期的に２連送される（６０２）。
【００３８】
リモコン受信器９は、図５のＭＳＫ検出部９ａで、受信電界強度を判定し、受信電界強度が０〜２の間（６０３）では、リモコン受信器９は上り照明ＩＦ（インターフェース）１０に対して上り照明機器４の点灯制御を行わないので、上り照明機器４は消灯している（６０４）。一方、受信電界強度が３〜５の間（６０５）では、リモコン受信器９は上り照明ＩＦ（インターフェース）１０に対して上り照明機器４の制御を行ない、上り照明機器４を点灯する（６０６）。
【００３９】
リモコン操作器６で再度プレススイッチ８を押す（６０７）。すると、リモコン操作器６は送信を停止するので、リモコン受信器９の図５のＭＳＫ検出部９ａで判定した受信電界強度は０となり（６０８）、したがって上り照明機器４は消灯する（６０９）。
【００４０】
以上説明した動作により、図４に示すように、規定された周波数ｆ１で周期的に送信するリモコン操作器６を持つ作業者が乗る上り作業車２が進行するに従い、進行方向の上り照明機器４が順次点灯し、また後方の上り照明機器４は順次消灯する。
【００４１】
第２実施形態では、制御対象の照明制御受信装置に、受信電界強度検出部を追加し、受信電界強度に従って、上り照明機器４、下り照明機器５を、自動的に点灯し次いで消灯する制御を行うので、作業員の手を煩わせることなく、便利である。
【００４２】
次に、本発明によるトンネル照明システムの第３実施形態を説明する。
【００４３】
図２における照明制御受信装置１及び図５における照明制御受信装置１内のリモコン受信器９は、ＭＳＫ検出部９ａまたはＭＳＫ検出部９ａと電界強度検出部９ｂからなる無線部を制御するＣＰＵを、図２、図５には図示していないが、持っている。またリモコン操作器６にも、無線部を制御するＣＰＵを持っている。
【００４４】
次に、トンネル照明システムの動作を、図７により説明する。図７では一例として第１実施形態対応の場合であるが、第２実施形態対応の場合も同様である。
【００４５】
通常、リモコン操作器６の無線部を電源オフ（７０１）に、該無線部を制御するＣＰＵをスリープモード（低消費モード）（７０２）にしておく。また、リモコン受信器９の無線部を電源オフ（７０３）、該無線部を制御するＣＰＵをスリープモード（７０４）にしておく。
【００４６】
リモコン操作器６でキー操作をする（７０５）。このキー操作に応答して、リモコン操作器６の無線部を制御するＣＰＵをスリープモード解除し（７０６）、無線部を電源オンする（７０７）。
【００４７】
リモコン操作器６のチャネルスイッチを上りに設定し（７０８）、プレススイッチを押す（７０９）。すると、送信コマンド（７１０）がリモコン受信器９に送信され（７１０）、リモコン受信器９の無線部を制御するＣＰＵをスリープモード解除し（７１１）、無線部を電源オンする（７１２）。
【００４８】
送信コマンドが送信された（７１０）後、続いて、表１に示すＭＳＫデータの照明器上り／下り選択データを“上り”に設定したＭＳＫ信号（照明上り切替要求コマンド）が、リモコン操作器６からリモコン受信器９に２連送される（７１３）。
【００４９】
リモコン受信器９は、図２のＭＳＫ検出部９ａで、ＭＳＫ信号（照明上り切替要求コマンド）を受信してＭＳＫデータを解析し、ユーザＩＤ、コマンドビット、照明器上り／下り選択データ、車番が、予め記憶しているデータと一致して正しい（データ一致）（７１４）ならば、上り照明機器４を点灯する（７１５）。２回受信するが、ＭＳＫデータの何れかが正しければ、上り照明機器４を点灯する。
【００５０】
リモコン操作器６はタイマを持ち、上記ＭＳＫ信号（照明上り切替要求コマンド）が、リモコン操作器６から２連送された（７１３）後、所定時間例えば１０秒（７１６）の間に、次の上記ＭＳＫ信号（照明上り切替要求コマンド）が２連送されない場合は、自動的に、無線部を電源オフ（７１７）に、該無線部を制御するＣＰＵをスリープモード（７１８）に移行させる。リモコン受信器９も、自動的に、無線部を電源オフ（７１９）に、該無線部を制御するＣＰＵをスリープモード（７２０）に移行させる。また、上り照明機器４もタイマを持ち、所定時間後に自動的に消灯させる（７２１）。
【００５１】
第３実施形態では、リモコン操作器６とリモコン受信器９の無線部を通常電源オフとしておくことができるので、消費電力を軽減して、電力の節約を図ることができる。また、照明機器にタイマを持ち、所定時間後に自動的に消灯させるので、消灯のし忘れをなくすことができる。
【図面の簡単な説明】
【００５２】
【図１】本発明によるトンネル照明システムの第１実施形態の概念図である。
【図２】図１における照明制御受信装置の内部構成と、上り作業車および下り作業車３に乗る作業者が持つリモコン操作器の構成図である。
【図３】本発明によるトンネル照明システムの第１実施形態の動作を説明する図である。
【図４】本発明によるトンネル照明システムの第２実施形態の概念図である。
【図５】図４における照明制御受信装置の内部構成と、上り作業車２に乗る作業者が持つリモコン操作器の構成図である。
【図６】本発明によるトンネル照明システムの第２実施形態の動作を説明する図である。
【図７】本発明によるトンネル照明システムの第３実施形態の動作を説明する図である。
【符号の説明】
【００５３】
１，１，…，１：照明制御受信装置１，２，…，Ｎ、２：上り作業車、３：下り作業車、４：上り照明機器、５：下り照明機器、６：リモコン操作器、７：チャネルスイッチ、８：プレススイッチ、９：リモコン受信機、９ａ：ＭＳＫ検出部、９ｂ：受信電界強度検出部、１０：上り照明制御ＩＦ（インターフェース）、１１：下り照明制御ＩＦ（インターフェース）、１２：上り作業車に搭載したリモコン操作器からの送信電波の到達範囲。
【図１】
2008084724.tif 000004
【図２】
2008084724.tif 000005
【図３】
2008084724.tif 000006
【図４】
2008084724.tif 000007
【図５】
2008084724.tif 000008
【図６】
2008084724.tif 000009
【図７】
2008084724.tif 000010